(57)【要約】この発明は、カレンダ表示手段（１２）及び３１日で１回転する３１日車（１０）を備えた時計形成部材のムーブメントに配置されるカレンダ修正機に関する。このカレンダ修正機は、現在の月が３１日未満の日を含むという事実に関する情報を入力することを可能にする手動制御手段（１８、１９）、及び、前記制御手段によって入力された前記情報に応答し、その結果、前記表示手段が前記現在の月における最後に自動的に修正される、前記３１日車（１０）と結合した調整手段（１４、１５、１６、１７、２２、２５）を有している。【選択図】図１
2007501933.tif 000002
【特許請求の範囲】
【請求項１】
カレンダ表示手段（１２）及び３１日で１回転する３１日車（１０）を備えたタイムピースに装着されるカレンダ修正機であって、前記カレンダ修正機は、
・現在の月が３１日未満の日を含むという事実に関する情報を入力することを可能にする手動制御手段（１８、１９）、及び、
・前記現在の月の最後に前記表示手段が自動的に修正されるように、２つの同軸歯付円盤、すなわち、前記３１日車（１０）によって第１の方向に回転可能に駆動する第１の円盤（１６）と、前記制御手段によって前記第１の方向とは逆の第２の方向に回転可能に駆動する第２の円盤（１７）とを備えたクラッチ回転体（１５）を含む調整手段
を含むことを特徴とするカレンダ修正機。
【請求項２】
カレンダ表示手段（１２）及び３１日で１回転する３１日車（１０）を備えたタイムピースに装着されるカレンダ修正機であって、前記カレンダ修正機は、
・各月が３１日未満の日を含む間に、前記月の最後に行われるべき修正に関する情報を産出する自動制御手段（４０、４１、４２、４３、４４、４５）、及び、
・前記現在の月の最後に前記表示手段が自動的に修正されるように、２つの同軸歯付円盤、すなわち、前記３１日車（１０）によって第１の方向に回転可能に駆動する第１の円盤（１６）と、前記制御手段によって前記第１の方向とは逆の第２の方向に回転可能に駆動する第２の円盤（１７）とを備えたクラッチ回転体（１５）を含む調整手段
を含むことを特徴とするカレンダ修正機。
【請求項３】
前記円盤（１６、１７）は、スプリングによって、及び、歯止め機構によって、互いに結合し、前記歯止めは、
・前記第１の円盤（１６）は前記第２の円盤（１７）と独立に前記第１の方向に回転し、
・前記第２の円盤（１７）は、前記第１の方向に回転するときには、前記第１の円盤（１６）を駆動し、そして、
・前記第２の円盤（１７）は、前記第２の方向に回転するときには、前記第１の円盤（１６）を駆動させず、その時に前記スプリングに単に負荷をかけるように配置されることを特徴とし、かつ、
前記調整手段は、さらに、
・３１日車（１０）に固定された指形小片（１４）、
・前記第２の円盤（１７）に旋回自在に固定され、前記月の最終日に前記指形小片（１４）によって作動可能な第１のレバ（２２）、及び、
・前記指形小片（１４）によって前記第１のレバ（２２）が回転されたときに、前記第１のレバ（２２）によって作動可能に、前記クラッチ回転体（１５）と独立に固定された第２のレバ（２５）
を含み、前記第２のレバ（２５）は、前記第２の円盤（１７）を固定し、かつ、カレンダ表示を修正するために、前記スプリングの動作に従って前記第１の円盤（１６）が早く前進するように、作動するときに、前記第２の円盤（１７）を開放することを特徴とする請求項１又は２に記載のカレンダ修正機。
【請求項４】
前記第１のレバ（２２）は、前記第２の円盤（１７）の１つの表面に回転自在に装着され、第１の腕は円盤の内側を、第２の腕は円盤の外側を向いている２つの腕（２２ａ、２２ｂ）を含み、前記外側の腕（２２ｂ）は、その端部が前記円盤の縁と面一に延在すると共に、前記円盤（１７）の周縁部に位置した停止部材（２４）を押し付けた状態に保持されていることを特徴とする請求項３に記載のカレンダ修正機。
【請求項５】
前記第２のレバ（２５）は、
・前記第２の円盤（１７）上に配置され、かつ、円盤が第２の方向に回転しないように、ジャンパ（３０）によって円盤に形成された歯列に押し付けられている突出部（２７）まで延在する第１の腕（２５ａ）、及び、
・前記第２の円盤（１７）上に配置され、前記第１のレバ（２２）における内側腕（２２ａ）の前進力を得るように設計された肩部２８を備え、かつ、前記第２の円盤（１７）が第２の方向に旋回するときに、前記第２の円盤（１７）の１つの表面に固定された安全ブロック（３１）が機能するようになっている突起部（２９）まで延在する第２の腕（２５ｂ）
を含むことを特徴とする請求項３に記載のカレンダ修正機。
【請求項６】
前記手動制御手段は、前記タイムピースの装着者が利用可能で、押すことにより、前記第２の円盤（１７）が１段階回転するように配置された押しボタン（１８、１９）を含むことを特徴とする請求項３、４及び５のいずれか１項（請求項２を除く）に記載のカレンダ修正機。
【請求項７】
前記自動制御手段は、
・年の１つの月にそれぞれ対応する領域（４１）に分割され、これら領域（４１）は、３１日から成る月と一致する場合には歯が形成されず、３０日、２９日又は２８日から成る月の場合にはそれぞれ１つ、２つ又は３つの歯（４２）を備えた月車（４０）、
・前記月車（４０）と同軸に固定され、前記月車（４０）と一体になって回転し、前記領域（４１）の１つにそれぞれ対応する各枝状体（４５）を画定する月車用星型部材（４４）、
・前記月車（４０）の前記歯（４２）によって駆動され、それ自身は前記クラッチ回転体（１５）の前記第２の円盤（１７）に螺合する中間回転体（４３）、及び、
・続く月に対応する前記領域（４１）の１つが前記回転体（４３）に向かい合い、かつ、前記領域（４１）の１つが少なくとも１つの歯（４２）を有する場合には、日付が続く月に移動するにつれて、前記回転体（４３）を駆動するように、各月の最初に、前記月車（４０）と前記月車用星型部材（４４）とを回転させる手段
を含むことを特徴とする請求項３、４及び５のいずれか１項（請求項１を除く）に記載のカレンダ修正機。
【請求項８】
前記月車（４０）と前記月車用星型部材（４４）とを回転させる前記手段は、
・第１の３１日車（１０）と同一であり、前記３１日車（１０）と螺合する第２の３１日車（４８）、及び、
・この第２の３１日車（４８）に固定され、前記月車用星型部材（４４）と協力する指形小片（４７）
を含むことを特徴とする請求項７に記載のカレンダ修正機。
【請求項９】
さらに、修正が行われるための、現在の月の日数を表示するために、前記クラッチ回転体の前記第２の円盤（１７）と協力する表示システム（３２）を有することを特徴とする請求項３〜８のいずれか１項に記載のカレンダ修正機。
【請求項１０】
前記第２のレバ（２５）の前記第１の腕（２５ａ）は突起部（２９）まで延在し、前記クラッチ回転体の前記第２の円盤（１７）は、前記レバが旋回し、前記スプリングがその初期位置に復帰するように、前記円盤が過剰に回転したときに、前記突起部（２９）を押し返すブロック（２１）を備えていることを特徴とする請求項５〜８のいずれか１項に記載のカレンダ修正機。
【発明の詳細な説明】
【技術分野】
【０００１】
この発明は、カレンダを表示するタイムピースに関する。さらに詳細には、この発明は、同じ原理に基づく、単純なカレンダ用の手動カレンダ修正機構、及び、永久カレンダ用の自動カレンダ修正機構に関する。
【背景技術】
【０００２】
時計においては、カレンダ機構は、文字盤上を回転する針を用いて、又は、文字盤の下で回転すると共に窓を通してその情報を示す円盤を用いて、月日の表示を可能にする。この種の方式は、この業界における通常の知識を有する者によく知られており、例えば、「レイモンディンらによる、『テオリー  ドゥ  ロルロジュリー』、フェデラシィオン  デ  エコール  テクニーク、１７９８、  ＩＳＢＮ  ２−９４００２５−１０−Ｘ、１８９頁以下参照」と題する研究において、詳細に説明されている。
【０００３】
円盤であれ針であれ、カレンダ表示機は、カレンダ歯車装置を介して、時車から離れて作動し、カレンダ歯車装置の最終要素は、真夜中近くに２４時間毎に、３６０／３１°の割合で１段回転することによって、３１日で１回転する３１日車であることが想起されであろう。針を用いて月日を表示する場合には、針は、この車の軸に、一体となって回転するように取り付けられる。円盤を用いて月日を表示する場合には、この円盤は、３１日車と一体になった指形小片によって、駆動する。
【０００４】
３１日未満の日から成る月においては、単純なカレンダの場合には、手動で修正する必要がある。この修正操作は、その迅速な日付調節位置に位置する曲がりくねった棒状体を回転させることによって、又は、中間時計ケース内に自由に固定された押しボタンを押すことによって、実行されることができる。もちろん、この修正操作は、３１日未満の日から成る月の最終日に、又は、その月に続く月の初日に、実行される必要がある。
【０００５】
使用者がこのような修正操作を実行することを回避するために、永久カレンダとして知られる種々の機構が開発されている。これらの機構は、月の長さに自動的に適合し、時として閏年でさえも予測する。カムとして知られている歯車は凹部を有し、この凹部の深さは月の長さと相関している。概していうと、このカムは、いずれにしても閏年を考慮するこの機構によって決定される４８又は１２の領域を有する。いくつかの他のカムとレバとの複雑な組立体は、３０日から成る月、２９日から成る月又は２８日から成る月の最終日に、それぞれ１日、２日又は３日分早送りする命令を、３１日車に伝達する。この組立体のうちの１つは第１のカムと協同する突出部を備えている。
【発明の開示】
【０００６】
この発明の第１の目的は、３１日未満の日から成る月のいつでも日付表示における修正を簡単に行うことを可能にし、その結果、日付表示における修正が最終日に行われる単純なカレンダ修正機を提案することにある。
【０００７】
より詳細には、この発明の第１の目的は、カレンダ表示手段及び３１日で１回転する３１日車を備えたタイムピースに装着される単純なカレンダ修正機に関する。この修正機は、
・現在の月が３１日未満の日を含むという事実に関する情報を入力することを可能にする手動制御手段、及び、
・前記現在の月の最後に前記表示手段が自動的に修正されるように、２つの同軸歯付円盤、すなわち、前記３１日車によって第１の方向に回転可能に駆動する第１の円盤と、前記制御手段によって前記第１の方向とは逆の第２の方向に回転可能に駆動する第２の円盤とを備えたクラッチ回転体を含む調整手段
を含む。
【０００８】
この発明の第２の目的は、通常のカム及びレバを装備しない延久カレンダ機構を提供することにある。
【０００９】
この第２の目的を達成するために、この発明に係る永久カレンダ修正機は、
・各月が３１日未満の日を含む間に、前記月の最後に行われるべき修正に関する情報を産出する自動制御手段、及び、
・前記現在の月の最後に前記表示手段が自動的に修正されるように、２つの同軸歯付円盤、すなわち、前記３１日車によって第１の方向に回転可能に駆動する第１の円盤と、前記制御手段によって前記第１の方向とは逆の第２の方向に回転可能に駆動する第２の円盤とを備えたクラッチ回転体を含む調整手段
を含む。
【００１０】
上記２例において、単純なカレンダの場合であっても永久カレンダの場合であっても、前記円盤は、スプリングによって、及び、歯止め機構によって、互いに結合し、前記歯止めは、
・前記第１の円盤は前記第２の円盤と独立に前記第１の方向に回転し、
・前記第２の円盤は、前記第１の方向に回転するときには、前記第１の円盤を駆動し、そして、
・前記第２の円盤は、前記第２の方向に回転するときには、前記第１の円盤を駆動させず、その時に前記スプリングに単に負荷をかける
ように配置されている。
【００１１】
さらに、前記調整手段は、
・３１日車に固定された指形小片、
・前記第２の円盤に旋回自在に固定され、前記月の最終日に前記指形小片によって作動可能な第１のレバ、及び、
・前記指形小片によって前記第１のレバが回転されたときに、前記第１のレバによって作動可能に、前記クラッチ回転体と独立に固定された第２のレバ
を含み、前記第２のレバは、前記第２の円盤を固定し、かつ、カレンダ表示を修正するために、前記スプリングの動作に従って前記第１の円盤が早く前進するように、作動するときに、前記第２の円盤を開放する。
【００１２】
この発明の他の特徴は、添付の図面を参照して、この明細書を読むことによってより明らかになるであろう。
【発明を実施するための最良の形態】
【００１３】
この発明に係る機構は、カレンダ表示を備えた機械式時計又は電気機械式時計のムーブメントに取り付けられるようになっている。この機能を実現することは、この業界における通常の知識を有する者によく知られており、また、本質的にこの発明の一部ではないので、詳細には記載しない。
【００１４】
図１及び図３には、３１日車１０が記載され、この３１日車１０は、３１日で１回転する割合で、時計回り方向（以下、ＣＷＤと称する。）に回転する。この車１０は、その軸１１に固定された、針１２と指形小片１４とを支持し、針１２は、文字盤に記載され、１〜３１の範囲を有する一連の数字で日付を表示し、指形小片１４は、その長さが前記車１０の半径を越えている。
【００１５】
この機構における必須要素は、歯止め１５を備えたクラッチ回転体（Ｃｌｕｔｃｈ  ｒｕｎｎｅｒ）であり、この歯止め１５は、２つの同軸歯付円盤、すなわち、下側歯付円盤１６と上側歯付円盤１７とを有する。下側歯付円盤１６は、３１日車１０と噛合し、したがって、反時計回り方向（以下、ＣＣＷＤと称する。）に回転する。上側歯付円盤１７は、前進片（ｐｕｓｈ−ｐｉｅｃｅ）１８によって、ＣＷＤに回転駆動する。この前進片１８は、中間時計ケースから突出し、時計装着者が利用可能なボタン１９を形成する。このボタン１９を押すと、円盤１７が１段階、すなわち、３６０／３１°だけ回転し、その後、スプリング２０によって、前進片１８は初期位置に復帰する。
【００１６】
回転体１５は、この業界における通常の知識を有する者によく知られた構造によって、歯止め及びスプリングを備えている。これらの歯止め及びスプリングは、２つの円盤１６と１７との間に配置されるが、図示されていない。このようにして、下側歯付円盤１６が上側歯付円盤１７と独立してＣＣＷＤに回転する。この上側歯付円盤１７は、スプリングに単に負荷をかけている状態において、それがＣＷＤに回転するときではなく、それがＣＣＷＤに回転するときのみ、この円盤１６を回転駆動させる。
【００１７】
小レバとして知られる第１のレバ２２は、上側歯付円盤１７における上側表面上の支軸２３に回転自在に装着される。このレバ２２は、２つの腕２２ａと２２ｂとからなり、これらの間の角度は、通常、約１２０°とされ、また、第１の腕（２２ａ）は円盤１７の内側を向き、第２の腕（２２ｂ）は円盤１７の外側を向いている。この外側腕２２ｂは、その端部が円盤１７の縁と面一に延在すると共に、通常、スプリング（図示しない）によって円盤１７の周縁部に位置した停止部材２４を押し付けた状態に保持されている。図２に示されるように、小レバ２２は、３１日車１０の指形小片１４と同じ平面上にあることに注意するべきである。
【００１８】
前記機構は、大レバとして知られる第２のレバ２５を含み、このレバ２５は、プレートに固着された支軸２６を中心として旋回する。このレバは略Ｌ字型をなしている。その短腕２５ａは上側円盤１７に位置する。また、短腕２５ａは、突出部２７まで延在し、この突出部２７は、円盤１７がＣＣＷＤに回転しないように、ジャンパ（ｊｕｍｐｅｒ）３０によって円盤１７に形成された歯列に押し付けられている。大レバ２５の長腕２５ｂは、上側円盤１７上に配置されており、小レバ２２における短腕２２ａの前進力を得るように設計された肩部２８を有する。長腕２５ｂは突起部２９まで延在し、この突起部２９は、円盤１７がＣＷＤに旋回するときに、円盤１７の上側表面に固定された安全ブロック３１が機能するようになっている。
【００１９】
有利には、２８、２９、３０及び３１の一連の数字は、上側円盤１７の軸に固定された表示用円盤３２の周縁部分に記載されている。文字盤１３に形成された窓３３は、円盤１７の位置に基づいて、一連の数字のうちの１つを表示する。この表示機構の実用性は、この発明に係るこの機構がどのように機能するのかを説明する本明細書の後記部分を読むことによって、より明らかになるであろう。
【００２０】
３１日から成る月の場合には、カレンダ表示を修正する必要はない。上側円盤１７は、突出部２７によって、かつ、大レバ２５の短腕２５ａに接するジャンパ３０の圧力によって、不動状態に保持されているから、いかなる影響をも与えられることなく、３１日車１０はクラッチ回転体１５の下側円盤１６をＣＣＷＤに回転させる。その結果、表示用円盤３２上に記載された一連の数字のうちの３１が窓３３を通して表示されるように、表示用円盤３２が配置される。
【００２１】
車１０が回転すると、日付表示針１２が通常の方法でその機能を実行し、指形小片１４が、小レバ２２と出会うことなく、上側円盤１７の上方を移動する。
【００２２】
２８日から成る２月においては、真夜中近くに、針１２が、２９日、３０日及び３１日を早送りし、丁度３月の初日を表示するように、３段階修正する必要がある。
【００２３】
２月中に針１２が選択した日付において、これを実行するために、使用者は、前進片１８の一部であるボタン１９を連続して３回押し、そして、これにより、３６０／３１°の３倍の角度だけ上側円盤１７をＣＷＤに回転させることができる。下側円盤１６は、回転しないが、回転体１５のスプリングが負荷を負う。大レバ２５によって、円盤１７が回転体１５のスプリングの影響でＣＣＷＤに逆回転することを防止することができる。そうすると、小レバ２２と安全ブロック３１とは、図３に示されるように、３１日車１０とクラッチ回転体１５との噛合位置に接近する。このとき、小レバ２２の長腕２２ｂが指形小片１４の進路上に位置することに注意することが重要である。より詳細には、２８日から２９日に日付表示針１２が移動したときに、長腕２２ｂがその瞬間に指形小片１４と接するように位置する。その結果、円盤３２上に記載された一連の数字、２８、２９、３０及び３１のうちの数字２８が窓３３を通して現れる。
【００２４】
２８日から成る月においては、真夜中近くに、３１日車１０が１段階前進すると、指形小片１４は小レバ２２の長腕２２ｂと接触する状態になり、指形小片１４によって、長腕２２ｂがその支軸２３を中心として旋回する。その結果、短腕２２ａは、大レバ２５の肩部２８を押し付け、ジャンパ３０によって及ぼされる圧力よりも大きな圧力がかかる。大レバ２５は回転し、そして、突出部２７は上側円盤１７に形成された歯との噛合状態を解除する。
【００２５】
その結果、開放された上側円盤１７は、負荷が突然解除されたスプリングによって回転されるので、ＣＣＷＤに３段階早送りされる。同時に、上側円盤１７は、３１日車１０に螺合した下側円盤１６を駆動させる。したがって、３１日車と日付表示針１２とがＣＷＤに３段階早送りされる。
【００２６】
このようにして、針１２は、文字盤１３上に記載された一連の数字のうち月の初日を表示する。表示用円盤３２上の一連の数字３１が窓３３を通して再度表示される。
【００２７】
２９日又は３０日から成る月においては、この機構は前記したようにして作動するが、使用者は前進片１８のボタン１９を２回又は１回押す。これによって、上側円盤１７はそれぞれ２段階又は１段階回転する。
【００２８】
カレンダ表示を４日分修正しなければならない場合はない。したがって、使用者が前進片１８を４回押した場合には、表示装置は、月の初日に前進すると、１日又は２日以上ずれる。さらに、回転体１５のスプリングに過剰な張力をかけるのは好ましくない。
【００２９】
これらの問題を回避するため、前述した例のように修正が３回行われた場合に、安全ブロック３１が、大レバ２５における長腕２５ｂの突起部２９の基部に位置している。前進片１８をさらに押すと、上側円盤１７がＣＷＤにもう一段階回転し、ブロック３１がジャンパ３０によって及ぼされる圧力よりも大きな圧力がかかっている突起部２９を押し返す。湾曲した大レバ２５は回転し、そして、突出部２７は上側円盤１７に形成された歯との噛合状態を解除し、回転体１５のスプリングが休止状態に復帰する。
【００３０】
このように、カレンダ修正機構が提案され、そして、このカレンダ修正機構は、３１日未満の日から成る月のいつの日でも必要とされる修正が行われることができ、この修正は、月の最終日の真夜中に行われる。
【００３１】
使用者が自身で修正をする必要を回避するため、この発明は、図４に示されるように、種々の月における日数を自動的に考慮する永久カレンダ機構への第２の利用を見出す。
【００３２】
この機構は、
・３１日車１０、
・歯止め１５を備えたクラッチ回転体１５、
・小レバ２２とその停止部材２４
・大レバ２５とそのジャンパ３０、及び、
・表示用円盤３２
を有する。
【００３３】
これらの種々の要素は、前記したように配置されているが、今度は、上側円盤１７が前進片によってもはや駆動されない。
【００３４】
図４に示される機構は、閏年を考慮しない単純な形態に配置されている。この機構は、年の１つの月にそれぞれ対応する１２の領域４１に分割された月車４０を有している。これら領域４１のそれぞれは、３１日から成る月と一致する場合には歯が形成されてなく、３０日から成る月の場合には１つの歯４２を備え、又は、２月のときは３つの歯４２を備えている。
【００３５】
歯４２は中間回転体４３に螺合し、この中間回転体４３自身はクラッチ回転体１５の上側円盤１７に螺合している。これら種々の回転体における歯列は同一の歯間距離を有している。このことは、車４０における１段階の回転により、円盤１７が同様に１段階回転することを意味する。
【００３６】
１２の枝状体４５を備えた月車用星型部材４４は、月車４０と同軸に固定され、月車４０と一体になって回転する。各枝状体４５は年の１つの月にそれぞれ対応する。星型部材４４は、２つの傾斜面を備えたジャンパ４６の近傍に位置し、その結果、例えば、車４０における４月に対応する領域４１ａの歯４２ａが回転体４３と螺合すると、４月に対応する枝状体４５ａは、第２の３１日車４８の軸上に固定された指形小片４７の進路上に位置する。第２の３１日車４８は、第１の３１日車１０と同一であり、この車１０と螺合している。指形小片４７はその長さが前記車４８の半径を越えている。
【００３７】
作動中において、一方では、第１の３１日車１０はＣＷＤに回転し、また、駆動する。他方では、第２の３１日車４８及びクラッチ回転体１５の下側円盤１６は他の影響もなくＣＣＷＤに回転し、また、駆動する。
【００３８】
３１日から成る月においては、指形小片４７は、この月、好ましくはこの月の初日に対応する月車用星型部材４４の枝状体４５ｂと同じ平面上にあるように位置する。その結果、初日の真夜中頃において、３１日車１０、したがって車４８及び指形小片４７が１段階回転する場合には、この指形小片は枝状体４５を押し動かし、星型部材４４と月車４０とをＣＷＤに１段階駆動させる。これからは、これらは次の月に備えた位置にある。
【００３９】
車４０及び星型部材４４は２つの状態で回転する。第１の状態は、ジャンパ４６を押圧する枝状体４５ｃが、その第１の傾斜面に沿って滑走することによって、ジャンパ４６を押し上げるときに、回転は遅くなる。次いで、この枝状体４５ｃが第２の傾斜面に到達すると、回転はより速くなる。このように、ジャンパ４６によって及ぼされる圧力によって、星型部材の回転速度が加速される。
【００４０】
３１日から成る月に対応するところの、月車４０の領域４１ｂは歯を有してなく、したがって、車が回転するにつれて領域４１ｂが中間回転体４３に向かい合うにもかかわらず、中間回転体４３を駆動させることはない。したがって、クラッチ回転体１５の上側円盤１７は回転することはなく、回転は３１日車１０に伝達されることもない。
【００４１】
前述した手動修正機の場合のように、表示用円盤３２は、窓３３を通して、その月が有する日数に対応する数字３１を表示する。
【００４２】
３０日から成る月においては、指形小片４７は、この月に、またこの月の初日にも対応する月車用星型部材４４の枝状体４５ａと同じ平面上にある。その結果、真夜中に、３１日車１０、したがって車４８及び指形小片４７が１段階回転する場合には、この指形小片は枝状体４５ａを押し動かし、星型部材４４と月車４０とをＣＷＤに駆動させる。
【００４３】
月車４０の歯４２、より詳細には、３０日から成るこの月に対応する領域４１ａの歯４２ａは、星型部材４４の回転が早い状態にある間に、回転体４３をＣＣＷＤに駆動させるように位置する。回転体４３の回転によって、クラッチ回転体１５の上側円盤１７がＣＷＤに１段階回転し、クラッチ回転体１５のスプリングに負荷をかけるが、下側円盤１６を駆動させることはない。ところで、小レバ２２は、その長腕２２ｂがこの月の３０日目の真夜中に、指形小片１４と接触する状態になる。表示用円盤３２に記載されている数字３０が窓３３を通して現れる。
【００４４】
前述した手動修正機の場合に起こるように、大レバ２５によって、上側円盤１７のＣＷＤへのいかなる回転をも阻止することができる。この月の３０日目の真夜中に、指形小片１４が１段階回転すると、指形小片１４は小レバ２２の長腕２２ｂと接触する状態になる。この小レバ２２は、回転し、大レバ２５の長腕２５ｂを押し動かす。このレバは湾曲した状態で回転し、上側円盤１７を開放する。その結果、上側円盤１７は、クラッチ回転体１５における負荷が突然解除されたスプリングによって回転されるので、ＣＣＷＤに１段階早送りされる。また、上側円盤１７は同時に下側円盤１６を駆動させる。したがって、３１日車１０と日付表示針１２もまたＣＷＤに１段階早送りされる。それ故、針１２は文字盤１３上に記載された一連の数字のうちこの月の初日を表示し、円盤３２上に記載された一連の数字のうち数字３１が窓３３を通して再度現れる。
【００４５】
２８日又は２９日から成る２月においては、この機構は前述したように作動するが、月車４０によって中間回転体４３が回転し、その結果、上側円盤１７を３段階または２段階前進させる。
【００４６】
閏年を考慮した前述の機構のために、この業界における通常の知識を有する者は、月車４０に、システム、よく知られたマルタクロスシステムを追加することに困難を要しないであろう。このようにして、２月に対応する領域は、４年ごとに１回、２つの歯を有し、この２つの歯によって、日付表示針１２が２９日から成る月の最後に２段階早送りされる。
【００４７】
明らかに、月車は、例えば、その軸に固定され、小さな円盤上を回転する表示針を有する手段によって、現在の月を表示することができる。
【００４８】
前記明細書は、例を用いて単に記載されたに過ぎず、この発明の範囲を限定することはない。この発明は円盤を使用するカレンダ表示機構に容易に適用することができ、これら円盤は３１日車１０から歯車伝達装置によって駆動される。
【００４９】
同様に、種々の解決策は、その月に調整された日数を表示するのに使用されてもよい。例えば、上側円盤上に記載され、３６０°／３１の角度を占める緑色領域が文字盤の下を移動してもよい。この緑色領域は、２８、２９、３０又は３１日を有する月に関して修正が行われたときに、この緑色領域が占める位置に対応する穴を通して見ることができる。緑色領域に隣接する領域は、有利には赤色を呈し、２８、２９、３０及び３１の赤色を呈した一連の数字は現在の月における日数を表示していないことを明確に示す。
【００５０】
別のより単純な解決策では、上側円盤１７の軸と一体となって回転するように固定された針は、修正機における実際の状態に応じて経過中の月が有するべき日数を、文字盤の一部に、表示する。
【図面の簡単な説明】
【００５１】
【図１】図１は、この発明における、３１日から成る月の最終日にある単純な修正機の上面を示す上面図である。
【図２】図２は、図１に示す機構における断面図である。
【図３】図３は、この発明における、２８日から成る月の最終日にある単純な修正機の上面を示す上面図である。
【図４】図４は、３０日から成る月の最終日にある永久カレンダ機構の上面を示す上面図である。
【図１】
2007501933.tif 000003
【図２】
2007501933.tif 000004
【図３】
2007501933.tif 000005
【図４】
2007501933.tif 000006
【国際調査報告】
2007501933.tif 000007
2007501933.tif 000008
2007501933.tif 000009
2007501933.tif 000010